(57)【要約】【課題】ユーザが容易に操作する。【解決手段】リモートコマンダ１１は、リモートコマンダ１１による操作の対象となる装置の機能を表す記号を表示する表示部１８と、リモートコマンダ１１を操作するユーザの近接に応じて変化する検出信号を出力するセンサ部１５とを備えている。そして、センサ部１５からの検出信号に基づいて、リモートコマンダ１１に対するユーザの位置を検知し、装置の機能を表す記号を、ユーザの位置に対して正対させて、表示部１８に表示させる。本発明は、例えば、リモートコマンダに適用できる。【選択図】図１
2009081772.tif 000002
【特許請求の範囲】
【請求項１】
ユーザにより操作される操作手段を有する電子機器において、
所定の機能を表す記号を表示する表示手段と、
ユーザの近接に応じて変化する検出信号を出力する検出手段と、
前記検出手段からの検出信号に基づいて、前記電子機器に対するユーザの位置を検知する検知手段と、
前記所定の機能を表す記号を、前記検知手段により検知された位置に対して正対させて、前記表示手段に表示させる表示制御手段と
を備える電子機器。
【請求項２】
前記操作手段は、ユーザにより押下されるキーであり、
前記表示手段は、前記キーごとに、前記所定の機能を表す記号を表示する
請求項１に記載の電子機器。
【請求項３】
ユーザにより操作される操作手段を有する電子機器の制御方法において、
前記電子機器は、
所定の機能を表す記号を表示する表示手段と、
ユーザの近接に応じて変化する検出信号を出力する検出手段と
を備え、
前記検出手段からの検出信号に基づいて、前記電子機器に対するユーザの位置を検知し、
前記所定の機能を表す記号を、前記ユーザの位置に対して正対させて、前記表示手段に表示させる
ステップを含む制御方法。
【発明の詳細な説明】
【技術分野】
【０００１】
本発明は、電子機器および制御方法に関し、特に、ユーザが容易に操作することができるようにした電子機器および制御方法に関する。
【背景技術】
【０００２】
従来、装置の遠隔操作に用いられるリモートコマンダは、赤外線による無線通信により、操作信号を、操作の対象となる装置に送信している。また、今後、赤外線に代わり、電磁波による無線通信により、操作信号を送信するリモートコマンダが普及すると推測されている。
【０００３】
電磁波には、赤外線のような指向性を有さないという特性があるので、電磁波を利用して操作信号を送信するリモートコマンダを操作するユーザは、リモートコマンダを、操作の対象となる装置に向ける必要がない。これにより、ユーザは、リモートコマンダを持ち上げることなく、例えば、テーブルの上や手元の置いたまま操作することができる。
【０００４】
また、リモートコマンダには、操作の対象となる装置の機能を表す文字や図形などが表示されている操作キーが設けられており、従来、ユーザがリモートコマンダを持ち上げて操作するときには、ユーザは、それらの文字や図形などが自身に対して正対するように、リモートコマンダを把持する。
【０００５】
これに対し、ユーザが、リモートコマンダをテーブルの上などに置いたまま操作するときには、操作キーに表示されている文字や図形が、ユーザに正対しているとは限らない。そして、操作キーに表示されている文字や図形が、ユーザに正対していないときには、ユーザは、その文字を読み難く感じたり、図形により表される機能を勘違いしたりする恐れがある。
【０００６】
また、特許文献１には、向かい合う２方向のいずれの方向からリモートコマンダの操作キーの機能表示記号を見ても、ユーザが、その機能表示記号を正しく認識することができるように、この２方向に向く傾斜面に機能表示記号がそれぞれ表示されたリモートコマンダが開示されている。しかしながら、この２方向に対して直交する方向から見た場合には、ユーザは、機能表示記号を正しく認識することが難しい。
【０００７】
【特許文献１】実開昭６２−８９７２４号公報
【発明の開示】
【発明が解決しようとする課題】
【０００８】
上述したように、リモートコマンダの操作キーに表示されている文字や図形が、ユーザに正対していないときには、ユーザが、リモートコマンダを操作し難いことがあった。
【０００９】
本発明は、このような状況に鑑みてなされたものであり、ユーザが容易に操作することができるようにするものである。
【課題を解決するための手段】
【００１０】
本発明の一側面の電子機器は、ユーザにより操作される操作手段を有する電子機器であって、所定の機能を表す記号を表示する表示手段と、ユーザの近接に応じて変化する検出信号を出力する検出手段と、前記検出手段からの検出信号に基づいて、前記電子機器に対するユーザの位置を検知する検知手段と、前記所定の機能を表す記号を、前記検知手段により検知された位置に対して正対させて、前記表示手段に表示させる表示制御手段とを備える。
【００１１】
本発明の一側面の制御方法は、ユーザにより操作される操作手段を有する電子機器の制御方法であって、前記電子機器は、所定の機能を表す記号を表示する表示手段と、ユーザの近接に応じて変化する検出信号を出力する検出手段とを備え、前記検出手段からの検出信号に基づいて、前記電子機器に対するユーザの位置を検知し、前記所定の機能を表す記号を、前記ユーザの位置に対して正対させて、前記表示手段に表示させるステップを含む。
【００１２】
本発明の一側面においては、電子機器は、所定の機能を表す記号を表示する表示手段と、ユーザの近接に応じて変化する検出信号を出力する検出手段とを備えている。そして、検出手段からの検出信号に基づいて、電子機器に対するユーザの位置が検知され、所定の機能を表す記号が、そのユーザの位置に対して正対させて、表示手段に表示される。
【発明の効果】
【００１３】
本発明の一側面によれば、ユーザが容易に操作することができる。
【発明を実施するための最良の形態】
【００１４】
以下に本発明の実施の形態を説明するが、本発明の構成要件と、明細書又は図面に記載の実施の形態との対応関係を例示すると、次のようになる。この記載は、本発明をサポートする実施の形態が、明細書又は図面に記載されていることを確認するためのものである。従って、明細書又は図面中には記載されているが、本発明の構成要件に対応する実施の形態として、ここには記載されていない実施の形態があったとしても、そのことは、その実施の形態が、その構成要件に対応するものではないことを意味するものではない。逆に、実施の形態が構成要件に対応するものとしてここに記載されていたとしても、そのことは、その実施の形態が、その構成要件以外の構成要件には対応しないものであることを意味するものでもない。
【００１５】
本発明の一側面の電子機器は、ユーザにより操作される操作手段を有する電子機器であって、
所定の機能を表す記号を表示する表示手段（例えば、図１の表示部１８）と、
ユーザの近接に応じて変化する検出信号を出力する検出手段（例えば、図１のセンサ部１５）と、
前記検出手段からの検出信号に基づいて、前記電子機器に対するユーザの位置を検知する検知手段（例えば、図１のセンサ制御回路１６）と、
前記所定の機能を表す記号を、前記検知手段により検知された位置に対して正対させて、前記表示手段に表示させる表示制御手段（例えば、図１の表示制御回路１７）と
を備える。
【００１６】
本発明の一側面の制御方法は、ユーザにより操作される操作手段を有する電子機器の制御方法であって、
前記電子機器は、
所定の機能を表す記号を表示する表示手段と、
ユーザの近接に応じて変化する検出信号を出力する検出手段と
を備え、
前記検出手段からの検出信号に基づいて、前記電子機器に対するユーザの位置を検知し（例えば、図６のステップＳ１４）、
前記所定の機能を表す記号を、前記ユーザの位置に対して正対させて、前記表示手段に表示させる（例えば、図６のステップＳ１６）
ステップを含む。
【００１７】
以下、本発明を適用した具体的な実施の形態について、図面を参照しながら詳細に説明する。
【００１８】
図１は、本発明を適用したリモートコマンダの一実施の形態の構成例を示すブロック図である。
【００１９】
図１において、リモートコマンダ１１は、CPU（Central Processing Unit）１２，ROM（Read Only Memory）１３，RAM（Random Access Memory）１４、センサ部１５、センサ制御回路１６、表示制御回路１７、表示部１８、操作キー１９、スキャン部２０、タイマ部２１、キャリア生成回路２２，LED（light emitting diode）駆動回路２３，LED２４，I/O（input/output）回路２５、送受信回路２６、および内部バス２７から構成される。
【００２０】
CPU１２，ROM１３，RAM１４、センサ制御回路１６、表示制御回路１７、スキャン部２０、タイマ部２１、キャリア生成回路２２，およびI/O回路２５は、内部バス２７を介して相互に接続されている。また、センサ部１５がセンサ制御回路１６に接続され、表示部１８が表示制御回路１７に接続され、操作キー１９がスキャン部２０に接続され、LED駆動回路２３がキャリア生成回路２２に接続され、LED２４がLED駆動回路２３に接続され、送受信回路２６がI/O回路２５に接続されている。
【００２１】
CPU１２は、ROM１３に記憶されたプログラムを、内部バス２７を介して読み出し、そのプログラムを実行することにより、内部バス２７を介して、リモートコマンダ１１を構成する各ブロックを制御する。
【００２２】
ROM１３は、CPU１２が実行するプログラムやコードテーブルなどを記憶している。ROM１３が記憶しているコードテーブルには、ユーザの操作により指示された機能と、その機能に対応する操作信号を表す操作信号コードとが対応付けられている。
【００２３】
RAM１４は、CPU１２が実行するプログラムや、CPU１２の動作上必要なデータなどを一時的に記憶する。
【００２４】
センサ部１５は、図２を参照して後述するように、リモートコマンダ１１に複数設けられており、リモートコマンダ１１に近づくユーザ（または、ユーザの指）の近接を検出し、その近接距離に応じて変化する検出信号を、センサ制御回路１６に供給する。
【００２５】
センサ制御回路１６は、複数のセンサ部１５から供給される検出信号に基づいて、リモートコマンダ１１に対するユーザの位置を検知し、その位置関係を示す情報を、内部バス２７を介してCPU１２に供給する。そして、CPU１２では、センサ制御回路１６からの情報に基づいて、表示部１８に表示される記号の表示方向が決定され、その表示方向を指示する情報が、表示制御回路１７に供給される。
【００２６】
表示制御回路１７は、CPU１２から供給される記号の表示方向を指示する情報に基づいて、表示部１８を制御し、表示部１８に記号を表示させ、または、すでに表示部１８に表示されている記号の方向を変更させる。
【００２７】
表示部１８は、LCD(Liquid Crystal Display)や有機EL（Electro Luminescence）などにより構成され、複数の操作キー１９の表面にそれぞれ設けられており、リモートコマンダ１１による操作の対象となる装置の機能を表す記号として、文字や図形などを表示する。例えば、操作の対象となる装置が、再生装置であるとき、表示部１８は、再生装置の再生の機能を表す「再生」の文字や、三角形の図形などを表示する。また、表示部１８は、表示制御回路１７の制御に従い、CPU１２により決定された方向となるように、それらの機能を表す記号を表示する。
【００２８】
操作キー１９は、ユーザにより操作され、図２を参照して後述するように、リモートコマンダ１１に複数設けられている。ユーザは、操作キー１９の表面に設けられている表示部１８に表示される記号により、それぞれの操作キー１９を操作することにより指示される機能を認識し、操作キー１９を操作する。
【００２９】
スキャン部２０は、複数の操作キー１９に対するユーザの操作を、所定の周期で走査し、ユーザにより操作キー１９が操作されると、その操作キー１９を特定する信号を、内部バス２７を介してCPU１２に供給する。
【００３０】
ここで、CPU１２は、スキャン部２０からの信号により特定される操作キー１９の表示部１８に表示されている記号に基づいて、ユーザの操作により指示された機能を特定する。そして、CPU１２は、ROM１３に記憶されているコードテーブルから、その機能に対応付けられている操作信号コードを読み出し、内部バス２７を介して、キャリア生成回路２２またはI/O回路２５に、操作信号コードを供給する。このとき、CPU１２は、操作の対象となる装置が有する通信機能に応じて、キャリア生成回路２２およびI/O回路２５のいずれか一方に、操作信号コードを供給する。
【００３１】
タイマ部２１は、例えば、３７〜４０kHzの変調キャリアを生成し、キャリア生成回路２２に供給する。キャリア生成回路２２は、CPU１２から供給される操作信号コードを、タイマ部２１から供給される変調キャリアで変調し、その結果得られる信号を、LED駆動回路２３に供給する。
【００３２】
LED駆動回路２３は、キャリア生成回路２２から供給される信号、即ち、変調キャリアで変調された操作信号コードに従って、LED２４を駆動する。LED２４は、LED駆動回路２３による駆動に従って、赤外線を発光し、操作信号を送信する。
【００３３】
I/O回路２５は、内部バス２７を介してCPU１２から供給される操作信号コードを、送受信回路２６に供給する。送受信回路２６は、例えば、アンテナなどを有しており、I/O回路２５から供給される操作信号コードを、所定の無線周波数に変換し、その無線周波数に応じた電磁波をアンテナから出力し、操作信号を送信する。
【００３４】
以上のように構成されるリモートコマンダ１１では、ユーザが、リモートコマンダ１１に近づいてくると、センサ部１５により、その近接が検出されて検出信号がセンサ制御回路１６に供給される。そして、センサ制御回路１６により、リモートコマンダ１１に対するユーザの位置が検知されて、その位置関係に基づいて、ユーザに正対するように、表示部１８に記号が表示される。
【００３５】
次に、図２は、リモートコマンダ１１が備えるセンサ部１５および操作キー１９の配置について説明する図である。
【００３６】
上述したように、リモートコマンダ１１は、複数のセンサ部１５と、複数の操作キー１９とを備えており、図２の例では、３つのセンサ部１５Ａ乃至１５Ｃと、５つの操作キー１９Ａ乃至１９Ｅとを備えている。また、図２に示すように、リモートコマンダ１１の上下左右の４辺を、上辺１１Ｕ、下辺１１Ｄ、左辺１１Ｌ、および右辺１１Ｒとする。
【００３７】
センサ部１５Ａは、リモートコマンダ１１の上辺１１Ｕの近傍の中央付近に設けられており、センサ部１５Ｂは、リモートコマンダ１１の右辺１１Ｒの近傍の中央付近に設けられており、センサ部１５Ｃは、リモートコマンダ１１の左辺１１Ｌと下辺１１Ｄとの角部付近に設けられている。
【００３８】
操作キー１９Ａは、リモートコマンダ１１の中央に設けられており、操作キー１９Ｂは、操作キー１９Ａよりもリモートコマンダ１１の上辺１１Ｕ側に設けられており、操作キー１９Ｃは、操作キー１９Ａよりもリモートコマンダ１１の下辺１１Ｄ側に設けられている。また、操作キー１９Ｄは、操作キー１９Ａよりもリモートコマンダ１１の左辺１１Ｌ側に設けられており、操作キー１９Ｅは、操作キー１９Ａよりもリモートコマンダ１１の右辺１１Ｒ側に設けられている。
【００３９】
このように構成されているリモートコマンダ１１において、ユーザが、図２に示すような第１の矢印の方向（リモートコマンダ１１の下辺１１Ｄから上辺１１Ｕに向かう方向）に沿って近づいてきたときと、第２の矢印の方向（リモートコマンダ１１の左辺１１Ｌから右辺１１Ｒに向かう方向）に沿って近づいてきたときとで、センサ部１５Ａ乃至１５Ｃがそれぞれ出力する検出信号が上昇する傾向が異なる。
【００４０】
次に、図３を参照して、ユーザの近接と、センサ部１５Ａ乃至１５Ｃから出力される検出信号が上昇する傾向とについて説明する。
【００４１】
図３の上側には、ユーザが、第１の矢印の方向に沿ってリモートコマンダ１１に近づいてきたときのセンサ部１５Ａ乃至１５Ｃの出力が示されている。また、図３の下側には、ユーザが、第２の矢印の方向に沿ってリモートコマンダ１１に近づいてきたときのセンサ部１５Ａ乃至１５Ｃの出力が示されている。
【００４２】
図３の上側に示されているように、ユーザが、第１の矢印の方向に沿って、リモートコマンダ１１の下辺１１Ｄ側から、リモートコマンダ１１に近づいてきたときには、センサ部１５Ａ乃至１５Ｃのうちの、リモートコマンダ１１の下辺１１Ｄに最も近いセンサ部１５Ｃの出力が、始めに上昇する。さらに、ユーザが近づいてくる動作が続くと、センサ部１５Ｂの出力が上昇し、その後、リモートコマンダ１１の下辺１１Ｄから最も遠いセンサ部１５Ａの出力が上昇する。
【００４３】
即ち、ユーザが、第１の矢印の方向に沿ってリモートコマンダ１１に近づいてきたときには、センサ部１５Ｃ、センサ部１５Ｂ、センサ部１５Ａの順番で、それぞれの出力が上昇する。
【００４４】
また、図３の下側に示されているように、ユーザが、第２の矢印の方向に沿って、リモートコマンダ１１の左辺１１Ｌ側から、リモートコマンダ１１に近づいてきたときには、センサ部１５Ａ乃至１５Ｃのうちの、リモートコマンダ１１の左辺１１Ｌに最も近いセンサ部１５Ｃの出力が、始めに上昇する。さらに、ユーザが近づいてくる動作が続くと、センサ部１５Ａの出力が上昇し、その後、リモートコマンダ１１の左辺１１Ｌから最も遠いセンサ部１５Ｂの出力が上昇する。
【００４５】
即ち、ユーザが、第２の矢印の方向に沿ってリモートコマンダ１１に近づいてきたときには、センサ部１５Ｃ、センサ部１５Ａ、センサ部１５Ｂの順番で、それぞれの出力が上昇する。
【００４６】
このように、ユーザがリモートコマンダ１１に近づいてくる方向に応じて、センサ部１５Ａ乃至１５Ｃの出力が増加する傾向が変化するので、センサ部１５Ａ乃至１５Ｃから検出信号が供給されるセンサ制御回路１６は、この変化に基づいて、ユーザが近づいてくる方向、即ち、リモートコマンダ１１に対するユーザの位置を検知する。
【００４７】
そして、センサ制御回路１６により検知されたユーザの位置に基づいて、操作キー１９Ａ乃至１９Ｅの表面に設けられている表示部１８Ａ乃至１８Ｅ（後述の図４および図５）に表示される記号、およびその向きが決定される。
【００４８】
次に、図４および図５を参照して、表示部１８Ａ乃至１８Ｅに表示される記号、およびその向きについて説明する。
【００４９】
図４は、第１の矢印の方向に沿ってユーザが近づいてきたときに、表示部１８Ａ乃至１８Ｅに表示される記号の表示例を示す図である。
【００５０】
図４に示すように、表示部１８Ａ乃至１８Ｅは、操作キー１９Ａ乃至１９Ｅの表面にそれぞれ設けられている。
【００５１】
例えば、リモートコマンダ１１による操作の対象となる装置が、録画再生装置であるとき、録画再生装置の機能を表す記号として表示される図形には、画像の再生を表す三角形や、画像の録画を表す円形、画像の再生の停止を表す四角形、画像の再生の早戻し表す２つの三角形、画像の再生の早送りを表す２つの三角形などがある。
【００５２】
また、一般に、画像の再生を表す三角形、および、画像の再生の早送りを表す２つの三角形は、ユーザに対して正対したときに、右方向を指し示すものであり、画像の再生の早戻し表す２つの三角形は、左方向を指し示すものである。
【００５３】
図４の表示例では、操作キー１９Ａに設けられている表示部１８Ａには、画像の再生を表す三角が表示されており、操作キー１９Ｂに設けられている表示部１８Ｂには、画像の録画を表す円形が表示されており、操作キー１９Ｃに設けられている表示部１８Ｃには、画像の再生の停止を表す四角形が表示されている。また、操作キー１９Ｄに設けられている表示部１８Ｄには、画像の再生の早戻し表す２つの三角形が表示されており、操作キー１９Ｅに設けられている表示部１８Ｅには、画像の再生の早送り表す２つの三角形が表示されている。
【００５４】
上述したように、第１の矢印の方向に沿ってユーザが近づいてきたことが検出されたときには、センサ制御回路１６は、ユーザの位置がリモートコマンダ１１の下辺１１Ｄ側であると検知しているので、表示部１８Ａ乃至１８Ｅは、リモートコマンダ１１の下辺１１Ｄ側から見て正対するように、それぞれの図形を表示する。
【００５５】
即ち、表示部１８Ａに表示されている画像の再生を表す三角形、および、表示部１８Ｅに表示されている画像の再生の早送りを表す２つの三角形は、リモートコマンダ１１の下辺１１Ｄ側から見て、右方向を指し示している。また、表示部１８Ｄに表示されている画像の再生の早戻し表す２つの三角形は、リモートコマンダ１１の下辺１１Ｄ側から見て、左方向を指し示している。
【００５６】
次に、図５は、第２の矢印の方向に沿ってユーザが近づいてきたときに、表示部１８Ａ乃至１８Ｅに表示される記号の表示例を示す図である。
【００５７】
図５の表示例では、操作キー１９Ａに設けられている表示部１８Ａには、画像の再生を表す三角が表示されており、操作キー１９Ｂに設けられている表示部１８Ｂには、画像の再生の早戻し表す２つの三角形が表示されており、操作キー１９Ｃに設けられている表示部１８Ｃには、画像の再生の早送り表す２つの三角形が表示されている。また、操作キー１９Ｄに設けられている表示部１８Ｄには、画像の再生の停止を表す四角形が表示されており、操作キー１９Ｅに設けられている表示部１８Ｅには、画像の録画を表す円形が表示されている。
【００５８】
上述したように、第２の矢印の方向に沿ってユーザが近づいてきたことが検出されたときには、センサ制御回路１６は、ユーザの位置がリモートコマンダ１１の左辺１１Ｌ側であると検知しているので、表示部１８Ａ乃至１８Ｅは、リモートコマンダ１１の左辺１１Ｌ側から見て正対するように、それぞれの図形を表示する。
【００５９】
即ち、表示部１８Ａに表示されている画像の再生を表す三角形、および、表示部１８Ｃに表示されている画像の再生の早送りを表す２つの三角形は、リモートコマンダ１１の左辺１１Ｌ側から見て、右方向を指し示している。また、表示部１８Ｂに表示されている画像の再生の早戻し表す２つの三角形は、リモートコマンダ１１の左辺１１Ｌ側から見て、左方向を指し示している。
【００６０】
次に、図６は、図１のリモートコマンダ１１が、表示部１８に記号を表示させる処理を説明するフローチャートである。
【００６１】
リモートコマンダ１１では、センサ制御回路１６は、例えば、所定の周期で、センサ部１５から出力される検出信号をサンプリングしており、サンプリングを行うタイミングで処理が開始され、ステップＳ１１において、センサ制御回路１６は、センサ部１５からの検出信号を取得する。
【００６２】
ステップＳ１１の処理後、処理はステップＳ１２に進み、センサ制御回路１６は、ステップＳ１１で取得した検出信号が変化したか否か、即ち、ユーザが近づいてきたことによる検出信号の増加が検出されたか否かを判定する。
【００６３】
ステップＳ１２において、センサ制御回路１６が、ステップＳ１１で取得した検出信号が変化していないと判定した場合、処理は終了し、ステップＳ１１で取得した検出信号が変化したと判定した場合、処理はステップＳ１３に進む。
【００６４】
ステップＳ１３において、センサ制御回路１６は、ステップＳ１１で取得した検出信号を一時的に蓄積し、リモートコマンダ１１に対するユーザの位置を検知することができるだけの検出信号が蓄積されたか否かを判定する。
【００６５】
ステップＳ１３において、センサ制御回路１６が、リモートコマンダ１１に対するユーザの位置を検知することができるだけの検出信号が蓄積されていないと判定した場合、センサ制御回路１６は、リモートコマンダ１１に対するユーザの位置を検知することができるだけの検出信号が蓄積されていると判定するまで、所定の周期でのサンプリングを行い、センサ部１５からの検出信号を蓄積し続ける。
【００６６】
即ち、図３を参照して説明したように、センサ制御回路１６は、複数のセンサ部１５から出力される検出信号が増加する傾向に基づいて、リモートコマンダ１１に対するユーザの位置を検知しており、あるセンサ部１５からの検知信号が増加しても、他のセンサ部１５からの検知信号が増加しないと、リモートコマンダ１１に対するユーザの位置を検知することができない。従って、センサ制御回路１６は、リモートコマンダ１１に対するユーザの位置を検知することができるだけの検出信号が蓄積されていると判定するまで、サンプリングを続ける。
【００６７】
一方、ステップＳ１３において、センサ制御回路１６が、リモートコマンダ１１に対するユーザの位置を検知することができるだけの検出信号が蓄積されたと判定した場合、処理はステップＳ１４に進む。
【００６８】
ステップＳ１４において、センサ制御回路１６は、検出信号に基づいて、リモートコマンダ１１に対するユーザの位置を検知し、その位置関係を示す情報を、内部バス２７を介してCPU１２に供給する。
【００６９】
ステップＳ１４の処理後、処理はステップＳ１５に進み、CPU１２は、ステップＳ１５でセンサ制御回路１６から共有される位置関係を示す情報に基づいて、表示部１８に表示される記号の表示方向を決定する。そして、CPU１２は、その表示方向を指示する情報を、内部バス２７を介して表示制御回路１７に供給し、処理はステップＳ１６に進む。
【００７０】
ステップＳ１６において、表示制御回路１７は、CPU１２から供給される記号の表示方向を指示する情報に基づいて、表示部１８を制御し、ユーザに正対するように、表示部１８に、操作の対象となる装置の機能を表す記号を表示させ、処理は終了する。
【００７１】
以上のように、リモートコマンダ１１では、リモートコマンダ１１に対するユーザの位置を検出して、ユーザに正対するように、表示部１８に、操作の対象となる装置の機能を表す記号が表示される。従って、ユーザが、例えば、リモートコマンダ１１をテーブルの上などに置いたまま操作するような場合でも、ユーザに対して正対するように記号が表示されるので、ユーザは、その記号を見て、容易にリモートコマンダ１１を操作することができる。即ち、ユーザは、自身に対して正対するように表示される記号としての文字を読み難いことがなく、図形を勘違いすることもない。
【００７２】
また、複数の操作キー１９に、表示部１８がそれぞれ設けられているので、ユーザは、どの操作キー１９を操作することにより、どのような機能を指示することができるのかを、容易に把握することができる。
【００７３】
また、複数のセンサ部１５からの検出信号に基づいて、ユーザの位置が検出されるので、様々な方向から近づいてくるユーザの位置を確実に検知することができ、これにより、それぞれの方向に対して、確実に正対するように記号を表示することができる。従って、ユーザは、リモートコマンダ１１との位置関係を気にせずに、リモートコマンダ１１を操作することができ、ユーザの使い勝手を向上させることができる。
【００７４】
なお、本実施の形態では、リモートコマンダ１１は、赤外線により操作信号を送信する機能と、電磁波により操作信号を送信する機能とを備えているが、リモートコマンダ１１が備える機能は、いずれか一方だけでもよい。
【００７５】
また、操作キー１９の表面に表示部１８を設ける他、例えば、タッチパネルを用いることができ、タッチパネルに表示されるGUI（Graphical User Interface）の方向を、ユーザの位置に応じて変化させるようにしてもよい。また、機能を表す記号としては、文字または図形、あるいは文字または図形を組み合わせたものを用いることができる。
【００７６】
なお、本発明は、リモートコマンダの他、例えば、携帯電話機や携帯型音楽プレーヤなどに適用することができる。この場合、携帯電話機や携帯型音楽プレーヤ自身の機能を表す記号が表示される。
【００７７】
なお、上述のフローチャートを参照して説明した各処理は、必ずしもフローチャートとして記載された順序に沿って時系列に処理する必要はなく、並列的あるいは個別に実行される処理（例えば、並列処理あるいはオブジェクトによる処理）も含むものである。
【００７８】
また、本発明の実施の形態では、リモートコマンダ１１のROM１３に、CPU１２が実行するプログラムがあらかじめ記憶されているが、例えば、リモートコマンダ１１が、フラッシュメモリ（例えば、EEPROM（Electronically Erasable and Programmable Read Only Memory））を備えている場合には、フラッシュメモリに、CPU１２が実行するプログラムを記憶させることができる。フラッシュメモリに記憶されているプログラムは、例えば、I/O回路２５を介して、図示しない外部の装置からインストール（更新）することができる。
【００７９】
なお、本発明の実施の形態は、上述した実施の形態に限定されるものではなく、本発明の要旨を逸脱しない範囲において種々の変更が可能である。
【図面の簡単な説明】
【００８０】
【図１】本発明を適用したリモートコマンダの一実施の形態の構成例を示すブロック図である。
【図２】センサ部１５および操作キー１９の配置を説明する図である。
【図３】ユーザの近接と、センサ部１５Ａ乃至１５Ｃの出力が上昇する傾向とを説明する。
【図４】表示部１８Ａ乃至１８Ｅに表示される記号の表示例を示す図である。
【図５】表示部１８Ａ乃至１８Ｅに表示される記号の表示例を示す図である。
【図６】表示部１８に記号を表示させる処理を説明するフローチャートである。
【符号の説明】
【００８１】
１１  リモートコマンダ，  １２  CPU，  １３  ROM，  １４  RAM，  １５  センサ部，  １６  センサ制御回路，  １７  表示制御回路，  １８  表示部，  １９  操作キー，  ２０  スキャン部，  ２１  タイマ部，  ２２  キャリア生成回路，  ２３  LED駆動回路，  ２４  LED，  ２５  I/O回路，  ２６  送受信回路，  ２７  内部バス
【図１】
2009081772.tif 000003
【図２】
2009081772.tif 000004
【図３】
2009081772.tif 000005
【図４】
2009081772.tif 000006
【図５】
2009081772.tif 000007
【図６】
2009081772.tif 000008